【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
医療処置又は外科的処置を行うための、動力発生部と該動力発生部により作動するエネルギーアプリケータとを有する外科用器具ユニットとともに用いられるバッテリ及び制御モジュールであって、
空間部を有するハウジングであって、該ハウジングと該ハウジング内の構成要素とがオートクレーブ滅菌に耐えることができるように形成されたハウジングと、
前記ハウジングに一体に設けられ、前記外科用器具ユニットと協働し、該外科用器具ユニットを前記ハウジングに対して取外し可能に保持するラッチ機構と、
前記ハウジングの空間部内に設けられた少なくとも１つの再充電可能型セルと、
前記ハウジングに取り付けられ、前記外科用器具ユニットに取り付けられたコンタクトに解放可能に接続させるために設けられた少なくとも１つのコンタクトと、
前記ハウジングに取り付けられ、信号を出すことのできるユーザ作動スイッチと、
前記ハウジングの空間部に配置された少なくとも１つの第１センサであって、前記第１センサは、前記器具ユニットから出され、前記器具の動力発生部の動作状態又は動作状況を表す信号を監視し、監視した該信号に基づいて、前記器具ユニットの動力発生部の動作状態又は動作状況を表す第１センサ信号を出力するものであり、前記ハウジングは、前記外科用器具ユニットからの信号が、前記第１センサの動作に悪影響を及ぼすことなく通り抜けることのできる材料から形成されている、少なくとも１つの第１センサと、
前記ハウジングの空間部に配置され、前記スイッチの状態を監視し、前記スイッチの状態に基づいて、前記スイッチの状態を表す第２センサ信号を出力する少なくとも１つの第２センサと、
前記ハウジングの空間部に配置され、少なくとも１つの前記セルを少なくとも１つの前記コンタクトに選択的に接続し、前記第１センサ信号を受信し、前記第２センサ信号を受信し、前記第１センサ信号と前記第２センサ信号とに基づいて、少なくとも１つの前記セルから少なくとも１つの前記コンタクトを経て前記器具ユニットの動力発生部に向かう通電信号の出力を調整する器具ユニットコントローラと
を備えたバッテリ及び制御モジュール。
【請求項２】
前記ハウジングには、前記外科用器具ユニットを受け入れるボアが形成されている、請求項１に記載のバッテリ及び制御モジュール。
【請求項３】
前記ハウジングは、前記ボアの近位端を形成する構造部材を有しており、
少なくとも１つの前記コンタクトは、前記ボアの近位端を形成する前記構造部材に取り付けられている、請求項２に記載のバッテリ及び制御モジュール。
【請求項４】
少なくとも１つの前記第１センサは、前記外科用器具ユニットから出された磁界を監視し、監視した磁界に基づいて前記第１センサ信号を出力し、
少なくとも隣接した、少なくとも１つの前記第１センサ、前記ハウジングは、磁界に基づいて前記第１センサ信号を出力する少なくとも１つの前記第１センサの機能に悪影響が及ぶことなく、前記外科用器具ユニットから出された磁界が通り抜けることのできる材料から形成されている、請求項１〜３のいずれか一項に記載のバッテリ及び制御モジュール。
【請求項５】
前記スイッチは、該スイッチの変位に基づいて変化する磁界を生じさせる磁石を備えており、
少なくとも１つの前記第２センサは、前記スイッチの磁石から出された磁界を監視し、監視した磁界に基づいて前記第２センサ信号を出力し、
少なくとも隣接した、少なくとも１つの前記第２センサ、前記ハウジングは、磁界に基づいて前記第２センサ信号を出力する少なくとも１つの前記第２センサの機能に悪影響が及ぶことなく、前記スイッチの磁石から出された磁界が通り抜けることのできる材料から形成されている、請求項１〜４のいずれか一項に記載のバッテリ及び制御モジュール。
【請求項６】
複数の前記コンタクトが前記ハウジングに取り付けられており、前記ハウジングの各コンタクトは、前記外科用器具ユニットの動力発生部に接続される前記外科用器具ユニットの相補的なコンタクトに接続されるものであり、
前記器具ユニットコントローラは、前記ハウジングの複数のコンタクトを少なくとも１つの前記再充電可能型セル又はグラウンドに接続させることのできるドライバを備えている、請求項１〜５のいずれか一項に記載のバッテリ及び制御モジュール。
【請求項７】
前記ラッチ機構は、前記ハウジングに対して移動可能に取り付けられ、前記外科用器具ユニットを前記ハウジングに対して取外し可能に保持する要素と、前記ハウジングに形成されたねじ切り部と、前記器具ユニットとの摩擦嵌めをもたらす要素とのいずれかである、請求項１〜６のいずれか一項に記載のバッテリ及び制御モジュール。
【請求項８】
複数の前記再充電可能型セルが前記ハウジングに配置されており、複数の前記セルが、前記器具の動力発生部に出力される前記通電信号を提供するものである、請求項１〜７のいずれか一項に記載のバッテリ及び制御モジュール。
【請求項９】
複数の前記再充電可能型セルが前記ハウジングの空間部に配置されており、前記外科用器具ユニットが前記ハウジングに取り付けられているときに、少なくとも１つの再充電可能型セルが少なくとも部分的に、前記外科用器具ユニットの近位端の遠位側に位置しており、少なくとも１つの前記再充電可能型セルが前記外科用器具ユニットの近位側に位置している、請求項８に記載のバッテリ及び制御モジュール。
【請求項１０】
少なくとも１つの前記再充電可能型セルが前記ハウジングの空間部に設けられており、前記外科用器具ユニットが前記ハウジングに取り付けられているときに、前記セルの少なくとも一部が前記外科用器具ユニットの近位端の前方に位置している、請求項１〜９のいずれか一項に記載のバッテリ及び制御モジュール。
【請求項１１】
複数の前記第１センサが前記ハウジングの空間部に配置されており、各第１センサが第１センサ信号を出力し、
前記器具ユニットコントローラは更に、複数の前記第１センサから受信した複数の前記第１センサ信号に基づいて、少なくとも１つの前記セルから前記器具ユニットの動力発生部に対する通電信号の出力を調整するものである、請求項１〜１０のいずれか一項に記載のバッテリ及び制御モジュール。
【請求項１２】
前記ハウジングは、ボアが形成された要素を備えており、前記外科用器具ユニットが前記ハウジングに保持されているときに、前記ハウジングの要素に形成された前記ボアが、前記外科用器具ユニットの内部にある相補的なカニューレに延びている、請求項１〜１１のいずれか一項に記載のバッテリ及び制御モジュール。
【請求項１３】
前記器具ユニットコントローラは、少なくとも１つの前記セルから少なくとも１つの前記コンタクトを経て、モータである外科用器具の動力発生部に向かう通電信号を印加するものである、請求項１〜１２のいずれか一項に記載のバッテリ及び制御モジュール。
【請求項１４】
請求項１〜１３のいずれか一項に記載のバッテリ及び制御モジュールとともに用いられる器具ユニット。
【請求項１５】
前記バッテリ及び制御モジュールの前記ラッチ機構に係合する、前記器具ユニットに設けられた機構を更に備えた請求項１４に記載の器具ユニット。
【請求項１６】
前記器具ユニットの内部にある前記動力発生部がモータである、請求項１４又は１５に記載の器具ユニット。
【請求項１７】
前記エネルギーアプリケータを前記器具ユニットの前記動力発生部に対して取外し可能に連結する連結アセンブリを更に備えた請求項１４〜１６のいずれか一項に記載の器具ユニット。
【手続補正２】
【補正対象書類名】明細書
【補正対象項目名】０３１７
【補正方法】変更
【補正の内容】
【０３１７】
したがって、添付の特許請求の範囲は、本発明の真の主旨及び範囲に属する全ての変形及び変更をカバーすることを目的とする。
なお、特願２０１５−５１４１９４の出願当初の特許請求の範囲は以下の通りである。
［請求項１］
医療処置又は外科的処置を行うための、動力発生部と該動力発生部により作動するエネルギーアプリケータとを有する外科用器具ユニットとともに用いられるバッテリ及び制御モジュールであって、
空間部を有し、該空間部を周囲環境から遮断するように設けられたハウジングと、
前記ハウジングに一体に設けられ、前記外科用器具ユニットと協働し、該外科用器具ユニットに対して前記ハウジングを取外し可能に保持するラッチ機構と、
前記ハウジングの空間部内に設けられた少なくとも１つの再充電可能型セルと、
前記ハウジングに取り付けられ、前記器具ユニット内の動力発生部に取り付けられたコンタクトに接続させるために設けられた少なくとも１つのコンタクトと、
前記ハウジングの空間部内に設けられ、前記セルから前記コンタクトを経て前記器具内の動力発生部に対する器具ユニット動力発生通電信号の出力を調整するために少なくとも１つの前記セルを少なくとも１つの前記コンタクトに選択的に接続する器具ユニットコントローラ（５３０）と
を備え、
前記ハウジング内に少なくとも１つの第１センサ（５９４）が配置され、該センサは、前記器具ユニットから出され、前記動力発生部の動作状態又は動作状況を表す信号を監視するとともに、監視された該信号に基づいて、前記器具ユニット内の動力発生部の動作状態又は動作状況を表す第１センサ信号を出力するものであり、
前記器具ユニットコントローラ（５３０）は、少なくとも１つの前記セル（３８）から前記器具ユニット内の動力発生部（９５０）に対する通電信号の出力を前記第１センサ信号に応じて調整するものである、バッテリ及び制御モジュール。
［請求項２］
前記ハウジングの空間部内に少なくとも１つの第２センサがあり、
該第２センサは、前記器具ユニットと前記バッテリ及び制御モジュールとのいずれかに取り付けられたユーザ作動スイッチの構成要素から出される信号を監視し、監視された前記信号に応じて、監視された前記スイッチの構成要素の状態に基づく第２センサ信号を出力するものであり、
前記構成要素は前記ハウジングの外部に位置するものである、請求項１に記載のバッテリ及び制御モジュール。
［請求項３］
前記ハウジングの少なくとも一部は、前記器具ユニットから出された信号が、少なくとも１つの前記センサの動作に悪影響が及ぶレベルにまで歪むこと又は減衰することなく通り抜けることのできる材料から形成されている、請求項１又は２に記載のバッテリ及び制御モジュール。
［請求項４］
請求項１〜３のいずれか一項に記載のバッテリ及び制御モジュールとともに用いられる、エネルギーアプリケータ（１７）を作動させる動力発生部を備えた器具ユニット（１０、１２４）。
［請求項５］
医療処置又は外科的処置を行うための、動力発生部（９５０）と該動力発生部により作動するエネルギーアプリケータ（１７）とを有する外科用器具ユニットとともに用いられるバッテリ及び制御モジュールであって、
空間部を有し、該空間部を周囲環境から遮断するように設けられたハウジングと、
前記ハウジングに一体に設けられ、前記外科用器具ユニットと協働し、該外科用器具ユニットに対して前記ハウジングを取外し可能に保持するラッチ機構と、
前記ハウジングの空間部内に設けられた少なくとも１つの再充電可能型セル（３８）と、
前記ハウジングに取り付けられ、前記器具ユニット内の動力発生部と一体に設けられたコンタクトに接続させるために設けられた少なくとも１つのコンタクト（３５０）と、
前記ハウジングの空間部内に設けられ、前記セルから前記コンタクトを経て前記器具内の動力発生部に対する器具ユニット動力発生通電信号の出力を調整するために少なくとも１つの前記セルを少なくとも１つの前記コンタクトに選択的に接続する器具ユニットコントローラ（５５０）と
を備え、
前記ハウジング内に少なくとも１つの第１センサ（５６６）が配置され、該センサは、前記器具ユニット（１２４）と前記バッテリ及び制御モジュール（１２８）とのいずれかに取り付けられたユーザ作動スイッチ（４４０）の構成要素（４９０）の状態を監視するとともに、監視された前記構成要素の状態に基づいて第１センサ信号を出力するものであり、前記構成要素は前記ハウジングの外部に位置しており、
前記器具ユニットコントローラ（５３０）は、前記器具ユニット動力発生部の出力を前記第１センサ信号に応じて調整するものである、バッテリ及び制御モジュール。
［請求項６］
少なくとも１つの前記第１センサにより監視される前記スイッチ構成要素を有するユーザ作動スイッチが前記ハウジングに取り付けられており、
少なくとも１つの前記第１センサにより監視される前記スイッチ構成要素は前記ハウジングの空間部の外部に位置している、請求項５に記載のバッテリ及び制御モジュール。
［請求項７］
前記ハウジングの少なくとも一部は、前記スイッチ構成要素（９５０）から出された信号が、少なくとも１つの前記第１センサ（９５０）の動作に悪影響が及ぶレベルにまで歪むこと又は減衰することなく通り抜けることのできる材料から形成されている、請求項５又は６に記載のバッテリ及び制御モジュール。
［請求項８］
請求項５〜７のいずれか一項に記載のバッテリ及び制御モジュールとともに用いられる、エネルギーアプリケータ（１７）を作動させる動力発生部を備えた器具ユニット（１０、１２４）。
［請求項９］
ブラシレスＤＣモータを有する電動器具とともに用いられるバッテリ及び制御モジュールであって、
空間部を有し、該空間部を周囲環境から遮断するように設けられたハウジングと、
前記ハウジングに一体に設けられ、前記外科用器具ユニットと協働し、前記ハウジングを前記外科用器具ユニットに対して取外し可能に保持するラッチ機構と、
前記ハウジングの空間部内に配置された少なくとも１つの再充電可能型セル（３８）と、
前記ハウジングに取り付けられ、少なくとも１つの前記セルからの電流を前記モータと一体の巻線（９５４）に対して選択的に供給し、該巻線から電流を引き込むことができるように、器具モータ（９５０）と一体のコンタクト（６０２）に接続するように設けられた少なくとも２つのコンタクト（３５０）と、
前記ハウジングの空間部内に配置され、前記コンタクト（３５０）のうちのいずれか１つに対して選択的に電流を供給し、又は該いずれか１つから電流を引き込むことができるように、前記コンタクト（３５０）を少なくとも１つの前記セルに選択的に接続するドライバ（６２０）と、
前記ハウジングの空間部内に配置され、前記モータ（９５０）の回転子（９６６）の回転位置を判断し、該回転子の回転位置に応じて前記ドライバ（６２０）を制御し、電流の供給及び引き込みが行われるようにする駆動コントローラ（７７０）と
を備えたバッテリ及び制御モジュール。
［請求項１０］
前記駆動コントローラは、前記モータの回転子（９６６）の位置を表す信号を生成する少なくとも１つのセンサ（５９４）からの信号に基づいて前記回転子の回転位置を判断するものである、請求項９に記載のバッテリ及び制御モジュール。
［請求項１１］
前記センサが前記ハウジング内に配置されている、請求項１０に記載のバッテリ及び制御モジュール。
［請求項１２］
前記駆動コントローラ（７７０）は、前記モータの巻線（９５４）を流れる電流と前記巻線にかかる電圧との少なくとも一方に基づいて、前記モータの回転子（９６６）の回転位置を判断するものである、請求項９に記載のバッテリ及び制御モジュール。
［請求項１３］
前記駆動コントローラ（７７０）は、回転子位置のインダクタンスの検知に基づいて、前記モータの回転子（９６６）の回転位置を判断するものである、請求項９に記載のバッテリ及び制御モジュール。
［請求項１４］
前記ドライバコントローラ（７７０）は、回転子位置の逆起電力検知に基づいて前記モータの回転子（９６６）の回転位置を判断するものである、請求項９に記載のバッテリ及び制御モジュール。
［請求項１５］
請求項９〜１４のいずれか一項に記載のバッテリ及び制御モジュールとともに用いられる、モータ（１８、９５０）を備えた外科用電動器具（１２、１２４）。
［請求項１６］
医療処置又は外科的処置を行うための、動力発生部（１８、９５０）と該動力発生部により作動するエネルギーアプリケータ（１７）とを有する外科用器具ユニットとともに用いられるバッテリ及び制御モジュールであって、
空間部を有し、該空間部を周囲環境から遮断するように設けられたハウジングと、
前記ハウジングに一体に設けられ、前記外科用器具ユニットと協働し、該外科用器具ユニットに対して前記ハウジングを取外し可能に保持するラッチ機構と、
前記ハウジングの空間部内に設けられた少なくとも１つの再充電可能型セル（３８）と、
前記ハウジングに取り付けられ、少なくとも１つの前記セルからの電流を前記器具の動力発生部（９５０）に対して選択的に供給できるように該動力発生部と一体のコンタクト（６０２）に接続させるために設けられた少なくとも２つのコンタクト（３５０）と、
前記ハウジングの空間部内に配置され、前記コンタクト（３５０）のうちのいずれか１つとの間で選択的な電流の供給及び引き込みができるよう、少なくとも１つの前記セル（３８）を前記コンタクト（３５０）に選択的に接続するとともに、前記セルが前記器具の動力発生部（９５０）に電流を供給するための前記コンタクトに電流を印加することにより少なくとも１つの前記セルの充電ができるよう、前記コンタクトのうちの少なくとも１つを経て少なくとも１つの前記セル（３８）へと電流が流れることを可能にするドライバ（６２０）と
を備えたバッテリ及び制御モジュール。
［請求項１７］
前記ドライバがＨブリッジである、請求項１７に記載のバッテリ及び制御モジュール。
［請求項１８］
前記ドライバが、
第１の電圧降下を有し、少なくとも１つの前記セル（３２）に供給される電流が流れることになる導電性経路と、
充電時に電流が供給される前記コンタクト（３５０）と、前記第１の電圧降下より小さい第２の電圧降下を有する少なくとも１つの前記セルとの間に導電性を確立するために選択的に設定されるスイッチ（６２８）と
を更に備えている、請求項１６又は１７に記載のバッテリ及び制御モジュール。